(57)【要約】【課題】パネル部材を取り付けて周囲との隙間を隠して美観を保持しつつ操作性を向上できるビルトインコンロを提供する。【解決手段】ビルトインコンロ１の前面に取り付けられた意匠パネル７は、コンロ本体２に組み込まれたスイッチ取付部材１１に取り付けられる第１パネル３０と、電池ボックス１２に取り付けられる第２パネル４０とからなる。第１パネル３０の右側部に設けた目隠し部３２は、第２パネル４０の下端まで延設されているので、コンロ本体２の周囲との隙間を隠すことができる。電池ボックス１２の乾電池を交換する際は、電池ボックス１２の蓋から第２パネル４０を取り外すだけで、第１パネル３０を取り外さなくてもよい。なお、目隠し部３２によって隙間は隠されたままであるので、ビルトインコンロ１の美観を保持できる。【選択図】図２
2011052839.tif 000002
【特許請求の範囲】
【請求項１】
カウンタトップに形成された開口に落とし込まれ、収納体に組み込まれるコンロ本体と、当該コンロ本体の前面に取り付けられる板状のパネル部材とを備えたビルトインコンロであって、
前記パネル部材は、
前記コンロ本体の前面の上側を覆うように取り付けられる第１パネル部材と、
前記コンロ本体の前面の下側に設けられ、奥側から手前側、又は手前側から奥側に可動する可動部材を覆うように取り付けられる第２パネル部材と
で構成され、
前記第１パネル部材の左右方向の一端部には、前記収納体との隙間を埋める目隠し部が設けられ、
当該目隠し部は前記第１パネル部材の下端よりも下方に延出され、
当該延出された部分の前側に前記第２パネル部材が配置されることを特徴とするビルトインコンロ。
【請求項２】
前記第１パネル部材の裏面には、第１係合部が設けられ、
前記コンロ本体には、前記係合部が係合する第１被係合部が設けられ、
前記第１パネル部材の裏面の左右方向一端側には、上下方向に延びるリブが立設され、
当該リブを、前記コンロ本体の前面側の上下方向の角部に外方から押し当て、前記リブを回転中心として前記一端側とは反対の他端側を前記コンロ本体に向けて回動させることによって、前記第１係合部が前記第１被係合部に係合することを特徴とする請求項１に記載のビルトインコンロ。
【請求項３】
前記目隠し部には、第２係合部が設けられ、
前記コンロ本体には、前記第２係合部が係合する第２被係合部が設けられていることを特徴とする請求項１又は２に記載のビルトインコンロ。
【請求項４】
前記目隠し部には、膨出部が設けられていることを特徴とする請求項１乃至３の何れかに記載のビルトインコンロ。
【請求項５】
前記コンロ本体の前面には、手前側に膨出し、前記コンロ本体に設けられたバーナを操作するためのスイッチを含む本体側膨出部が横方向に設けられ、
前記膨出部は、前記本体側膨出部の形状に対応する形状を備えたことを特徴とする請求項４に記載のビルトインコンロ。
【請求項６】
前記コンロ本体の前面にはグリルの取っ手が設けられ、
前記取っ手は、前記膨出部及び前記本体側膨出部に対応する形状を備えたことを特徴とする請求項５に記載のビルトインコンロ。
【請求項７】
前記コンロ本体に対して前記第１パネル部材をロックするロック機構を備え、
当該ロック機構は、
前記第１パネル部材に設けられ、所定方向に移動可能に支持されたロック爪と、
当該ロック爪を前記所定方向に移動させる操作部と、
前記コンロ本体に設けられ、前記ロック爪が係脱する係合穴と
を備え、
前記ロック爪を前記所定方向に移動させることによって、前記ロック爪が前記係合穴に係合してロックされることを特徴とする請求項１乃至６の何れかに記載のビルトインコンロ。
【発明の詳細な説明】
【技術分野】
【０００１】
本発明は、ビルトインコンロに関し、詳しくは、カウンタトップに形成された開口に落とし込まれ、収納体にコンロ本体が組み込まれるビルトインコンロに関する。
【背景技術】
【０００２】
従来、カウンタトップに形成された開口にビルトインコンロを嵌め込むようにしたシステムキッチンが一般的に利用されている。カウンタトップの下方には枠状のフレームが設けられ、そのフレーム内にコンロ本体が組み込まれる。このようなシステムキッチンでは、フレームとコンロ本体との寸法差により、フレームとコンロ本体の側面との間に隙間を生じることがあった。この隙間は美観を損なうので、その隙間を隠すために種々の対策がなされていた。例えば、組込式ガスコンロの本体の前面に、周囲との隙間を埋めるエンドピースが一体化されたフロントパネルを備えた組込式厨房家具が提案されている（例えば、特許文献１参照）。
【先行技術文献】
【特許文献】
【０００３】
【特許文献１】特開平９−３０３７９３号公報
【発明の概要】
【発明が解決しようとする課題】
【０００４】
しかしながら、特許文献１に記載の組込式厨房家具において、例えば、電池ケースを設けている部分に、フロントパネルを取り付けた場合、電池交換時にフロントパネルを取り外さなければならないという問題点があった。さらに、操作パネルを出退させる操作ユニットのように可動する部材が設けられている部分には、フロントパネルを取り付けることができず、コンロの操作性を向上することができなかった。また、電池交換時にはフレームとコンロ本体との間に生じた隙間が見えてしまうので美観を損なうという問題点もあった。
【０００５】
本発明は、上記課題を解決するためになされたものであり、パネル部材を取り付けて周囲との隙間を隠して美観を保持しつつ操作性を向上できるビルトインコンロを提供することを目的とする。
【課題を解決するための手段】
【０００６】
本発明の請求項１に係るビルトインコンロは、カウンタトップに形成された開口に落とし込まれ、収納体に組み込まれるコンロ本体と、当該コンロ本体の前面に取り付けられる板状のパネル部材とを備えたビルトインコンロであって、前記パネル部材は、前記コンロ本体の前面の上側を覆うように取り付けられる第１パネル部材と、前記コンロ本体の前面の下側に設けられ、奥側から手前側、又は手前側から奥側に可動する可動部材を覆うように取り付けられる第２パネル部材とで構成され、前記第１パネル部材の左右方向の一端部には、前記収納体との隙間を埋める目隠し部が設けられ、当該目隠し部は前記第１パネル部材の下端よりも下方に延出され、当該延出された部分の前側に前記第２パネル部材が配置される。
【０００７】
また、請求項２に係る発明のビルトインコンロは、請求項１に記載の発明の構成に加え、前記第１パネル部材の裏面には、第１係合部が設けられ、前記コンロ本体には、前記係合部が係合する第１被係合部が設けられ、前記第１パネル部材の裏面の左右方向一端側には、上下方向に延びるリブが立設され、当該リブを、前記コンロ本体の前面側の上下方向の角部に外方から押し当て、前記リブを回転中心として前記一端側とは反対の他端側を前記コンロ本体に向けて回動させることによって、前記第１係合部が前記第１被係合部に係合することを特徴とする。
【０００８】
また、請求項３に係る発明のビルトインコンロは、請求項１又は２に記載の発明の構成に加え、前記目隠し部には、第２係合部が設けられ、前記コンロ本体には、前記第２係合部が係合する第２被係合部が設けられている。
【０００９】
また、請求項４に係る発明のビルトインコンロは、請求項１乃至３の何れかに記載の発明の構成に加え、前記目隠し部には、膨出部が設けられている。
【００１０】
また、請求項５に係る発明のビルトインコンロは、請求項４に記載の発明の構成に加え、前記コンロ本体の前面には、手前側に膨出し、前記コンロ本体に設けられたバーナを操作するためのスイッチを含む本体側膨出部が横方向に設けられ、前記膨出部は、前記本体側膨出部の形状に対応する形状を備えている。
【００１１】
また、請求項６に係る発明のビルトインコンロは、請求項５に記載の発明の構成に加え、前記コンロ本体の前面にはグリルの取っ手が設けられ、前記取っ手は、前記膨出部及び前記本体側膨出部に対応する形状を備えている。
。
【００１２】
また、請求項７に係る発明のビルトインコンロは、請求項１乃至６の何れかに記載の発明の構成に加え、前記コンロ本体に対して前記第１パネル部材をロックするロック機構を備え、当該ロック機構は、前記第１パネル部材に設けられ、所定方向に移動可能に支持されたロック爪と、当該ロック爪を前記所定方向に移動させる操作部と、前記コンロ本体に設けられ、前記ロック爪が係脱する係合穴とを備え、前記ロック爪を前記所定方向に移動させることによって、前記ロック爪が前記係合穴に係合してロックされることを特徴とする。
【発明の効果】
【００１３】
請求項１に係るビルトインコンロは、カウンタトップに形成された開口に落とし込まれ、収納体にコンロ本体が組み込まれるものである。その前面には、板状のパネル部材が取り付けられる。パネル部材は第１パネル部材と第２パネル部材とで構成されている。第１パネル部材は、コンロ本体の前面の上側を覆うように取り付けられる。第２パネル部材は、コンロ本体の前面の下側に設けられた可動部材を覆うように取り付けられる。そして、第１パネル部材の左右方向の一端部には目隠し部が設けられているので、収納体との隙間を埋めることができる。さらに、可動部材が可動した場合は、第２パネル部材も一緒に可動するので、パネル部材を取り外さないで、コンロを操作できる。よって、コンロの操作性を向上できる。そして、その目隠し部の下方に延出された部分の前側に第２パネル部材が配置されるので、可動部材の可動と共に第２パネル部材がコンロ本体の前面から離れても、目隠し部によってその隙間を隠すことができるので美観を保持できる。
【００１４】
また、請求項２に係るビルトインコンロでは、請求項１に記載の発明の効果に加え、第１パネル部材のリブを、コンロ本体の前面側の上下方向の角部に外方から押し当て、リブを回転中心として他端側をコンロ本体に向けて回動させることによって、係合部が被係合部に係合する。これにより、収納体とコンロ本体との間が狭くても、第１パネル部材をコンロ本体に対して位置決めしつつ簡単に取り付けることができる。
【００１５】
また、請求項３に係るビルトインコンロでは、請求項１又は２に記載の発明の効果に加え、目隠し部に設けられた第２係合部を、コンロ本体に設けられた第２被係合部に係合させることができるので、目隠し部をコンロ本体２に直接固定できる。よって、コンロ本体に対して位置決めが容易となるので第１パネル部材との位置が安定し、取付性が向上する。
【００１６】
また、請求項４に係るビルトインコンロでは、請求項１乃至３の何れかに記載の発明の効果に加え、目隠し部に膨出部が設けられているので、目隠し部が下方に延出された形状であっても、外部衝撃によって折れるのを防止できる。
【００１７】
また、請求項５に係るビルトインコンロでは、請求項４に記載の発明の効果に加え、目隠し部に設けた膨出部は、スイッチを含む本体側膨出部の形状に対応する形状を備えているので、コンロ本体の前面の美観を向上できる。
【００１８】
また、請求項６に係るビルトインコンロでは、請求項５に記載の発明の効果に加え、コンロ本体の前面に設けられたグリルの取っ手は、膨出部及び本体側膨出部に対応する形状を備えているので、コンロ本体の前面の美観をさらに向上できる。
【００１９】
また、請求項７に係るビルトインコンロでは、請求項１乃至６の何れかに記載の発明の効果に加え、操作部を使って、ロック爪を所定方向に移動させると、ロック爪が係合穴に係合するので、パネル部材をコンロ本体にロックできる。これとは逆方向にロック爪を移動させると、ロック爪が係合穴から外れるので、ロックを解除できる。これにより、第１パネル部材をコンロ本体に確実に取り付けることができる。
【図面の簡単な説明】
【００２０】
【図１】ビルトインコンロ１の正面を示す斜視図である。
【図２】ビルトインコンロ１の正面から意匠パネル７，８を取り外した状態の斜視図である。
【図３】図２に示すビルトインコンロ１の正面の右側の部分拡大図である。
【図４】装置ユニット１０の斜視図である。
【図５】意匠パネル７の分解斜視図である。
【図６】第１パネル３０の裏側から見た斜視図である。
【図７】装置ユニット１０に第１パネル３０を取り付ける状態を示す斜視図である。
【発明を実施するための形態】
【００２１】
以下、本発明の一実施形態であるビルトインコンロ１について、図面を参照して説明する。図１に示すビルトインコンロ１は、図示外のシステムキッチンのカウンタトップに形成された開口に落とし込まれ、枠状の収納フレームにコンロ本体２が組み込まれることによって、システムキッチンに取り付けられるものである。
【００２２】
図１に示すように、ビルトインコンロ１は略直方体状のコンロ本体２を備えている。コンロ本体２の前面の略中央には、グリル庫から焼き網及び受け皿（図示外）を引き出すためのグリル扉５が設けられている。グリル扉５には取っ手５Ａが設けられている。グリル扉５の右側の中段位置には、手前側に膨出し、各種バーナ（図示外）を点火するための点火スイッチ７１，７２が設けられている。グリル扉５の左側の中段位置にも、各種バーナ（図示外）を点火するための同形状の点火スイッチ８１，８２が設けられている。
【００２３】
コンロ本体２の前面の右側には、コンロ本体２の前面の右側を装飾・保護するための意匠パネル７が取り付けられている。意匠パネル７は、点火スイッチ７１，７２の上側に取り付けられる第１パネル３０と、点火スイッチ７１，７２の下側に取り付けられる第２パネル４０とから構成されている。第１パネル３０のレバー用開口３４からは、各種バーナの火力を調節するために左右に回動する火力調節レバー９１，９２が突出している。
【００２４】
一方、コンロ本体２の前面の左側にも、コンロ本体２の前面の左側を装飾・保護するための意匠パネル８が取り付けられている。意匠パネル８も、点火スイッチ８１，８２の上側に取り付けられる第１パネル５０と、点火スイッチ８１，８２の下側に取り付けられる第２パネル６０とから構成されている。第１パネル５０のレバー用開口５４からは、各種バーナの火力を調節するために左右に回動する火力調節レバー９４，９５が突出している。
【００２５】
図２，図３に示すように、コンロ本体２の前面の右側において、意匠パネル７を取り外すと、装置ユニット１０が組み込まれている。装置ユニット１０は、点火スイッチ７１，７２等を備えるスイッチ取付部材１１と、その下側に取り付けられ、電源としての乾電池を収納するための電池ボックス１２とから構成されている。このような装置ユニット１０の前面に、意匠パネル７が取り付けられている。具体的には、スイッチ取付部材１１の前面に第１パネル３０が取り付けられ、電池ボックス１２の前面に第２パネル４０が取り付けられている。
【００２６】
意匠パネル７を取り付けた状態では、第１パネル３０の右側部に設けられた目隠し部３２が右側方にやや延出している。目隠し部３２は、第２パネル４０の下端位置まで延設されているので、コンロ本体２の右側面において、枠状の収納フレーム（図示外）との隙間を埋めることができる。つまり、ビルトインコンロ１を正面から見た場合に、コンロ本体２の側面と収納フレームとの隙間が目隠し部３２によって隠すことができるので、美観を損なうことがない。また、第１パネル３０に目隠し部３２が一体化されているので取り付けが簡単である。
【００２７】
一方、コンロ本体２の前面の左側においても、意匠パネル８を取り外すと、装置ユニット２０が組み込まれている。装置ユニット２０は、点火スイッチ８１，８２等を備えるスイッチ取付部材２１と、その下側に取り付けられ、各コンロによる調理の加熱温度、加熱時間等を設定するための操作パネル（図示外）を前後方向に出退可能に保持する操作ユニット２２とから構成されている。このような装置ユニット２０の前面に、意匠パネル８が取り付けられている。具体的には、スイッチ取付部材２１の前面に第１パネル５０が取り付けられ、操作ユニット２２の前面に第２パネル６０が取り付けられている。
【００２８】
意匠パネル８を取り付けた状態では、第１パネル５０の左側部に設けられた目隠し部５２が左側方にやや延出している。目隠し部５２は、第２パネル６０の下端位置まで延設されているので、コンロ本体２の左側面において、枠状の収納フレーム（図示外）との隙間を埋めることができる。つまり、ビルトインコンロ１を正面から見た場合に、コンロ本体２の側面と収納フレームとの隙間が目隠し部５２によって隠すことができるので、美観を損なうことがない。また、第１パネル５０に目隠し部５２が一体化されているので取り付けが簡単である。
【００２９】
次に、装置ユニット１０の構造について、図４を参照して説明する。装置ユニット１０は、上述したように、略直方体状の電池ボックス１２と、該電池ボックス１２の上面に取り付けられたスイッチ取付部材１１とから構成されている。
【００３０】
スイッチ取付部材１１は、土台部１１Ａと、該土台部１１Ａの上部に起立して設けられ、前後に両面を向けた板状の保持部１１Ｂとからなる。土台部１１Ａの前側部分の左側には、前方に略水平に膨出する膨出部１７が設けられ、土台部１１Ａの前側部分の右側には、前方に略水平に膨出する膨出部１９が設けられ、土台部１１Ａの前側部分の中央には、前方に略水平に膨出する膨出部１８が設けられている。膨出部１７と膨出部１８との間には点火スイッチ７１が押下可能に支持され、膨出部１８と膨出部１９との間には点火スイッチ７２が押下可能に支持されている。膨出部１９の外側面の先端側には、第１パネル３０を取り付けるための係合穴１９Ａが設けられている。
【００３１】
保持部１１Ｂの上端部の略中央には、第１パネル３０の上部に設けられた後述する一対のロック爪３７Ａ，３７Ｂ（図６参照）が係脱する一対の係合穴１６Ａ，１６Ｂが設けられている。係合穴１６Ａ，１６Ｂには、ロック爪３７Ａ，３７Ｂが係止する係止壁１６Ｃ，１６Ｄが各々設けられている。係合穴１６Ａ，１６Ｂの下側には、火力調節レバー９１，９２を内側に挿入して外側に突出させるための横長の長方形状のレバー用開口１５Ａ，１５Ｂが設けられている。保持部１１Ｂの下端側には、横長の長方形状の一対の係止穴１４Ａ，１４Ｂが各々設けられている。さらに、保持部１１Ｂの右側面のやや上側には、意匠パネル７の第１パネル３０の裏面に設けられた後述する係止爪３６Ａ（図６参照）が係止する係止穴２５が設けられている。一方、保持部１１Ｂの左側面のやや上側にも、同様の係止穴（図示外）が設けられている。
【００３２】
また、図４に示すように、電池ボックス１２の開閉する蓋１３の左右両側には、第２パネル４０の裏面に設けられた一対の係止爪（図示外）を係止させて取り付けるための縦長の一対の係止穴１３Ａ，１３Ｂが各々設けられている。
【００３３】
なお、詳述しないが、図２に示す装置ユニット２０も、上述したように、装置ユニット１０のスイッチ取付部材１１と同様の形状であるスイッチ取付部材２１を備え、電池ボックス１２の代わりに、操作ユニット２２を備えている。操作ユニット２２の前面にも、第２パネル６０の裏面に設けられた一対の係止爪（図示外）を係止させて取り付けるための一対の係止穴が設けられている。
【００３４】
次に、意匠パネル７，８の構造について、図５，図６を参照して説明する。なお、意匠パネル８は、意匠パネル７と鏡面対象形状であるので、ここでは説明を省略する。意匠パネル７は、正面視逆Ｌ字形状の第１パネル３０と、正面視横長の長方形状の第２パネル４０とから構成されている。第１パネル３０は、長方形状の本体部３１と、その右側部に設けられ、右側方に所定幅延出した正面視縦長長方形状の目隠し部３２とから構成されている。目隠し部３２は、本体部３１の下端よりも下方に長く延設されている。目隠し部３２の幅は、コンロ本体２が収納フレーム（図示外）に収納された際にできるコンロ本体２の右側面と収納フレームとの隙間を隠すことができるだけの長さに調整されている。
【００３５】
目隠し部３２の本体部３１より下方に延設した部分のやや上側には、前方に略水平に膨出する膨出部３３が設けられている。図６に示すように、膨出部３３の左側の側面には、スイッチ取付部材１１の膨出部１９に設けられた係合穴１９Ａが係止する係合爪３３Ａが設けられている。目隠し部３２の下方の延びる先端側の前面には、第２パネル４０の裏面に対向して当接する当接面３２Ａ（図５参照）が設けられている。
【００３６】
本体部３１の上側には、火力調節レバー９１，９２を突出させるためのレバー用開口３４が設けられている。本体部３１の裏側の上端部には、図６に示すように、左右方向に移動可能に支持されたロック部材３５が設けられ、その下部には、一対のロック爪３７Ａ，３７Ｂが設けられている。そのロック部材３５をガイド孔３５Ａに沿って左右方向に移動させると、ロック爪３７Ａ，３７Ｂもそれに連動して移動する。そして、ロック部材３５を右方向に移動させると、ロック爪３７Ａ，３７Ｂはロック位置となり、ロック部材３５を左方向に移動させると、ロック爪３７Ａ，３７Ｂはロック解除位置となる。
【００３７】
また、図６に示すように、第１パネル３０の裏面において、本体部３１と目隠し部３２の境界部分に沿って上下方向に設けられ、第１パネル３０の裏面に対して略直角に立設された位置決めリブ３６が設けられている。位置決めリブ３６は、第１パネル３０をスイッチ取付部材１１に取り付ける際に、スイッチ取付部材１１の保持部１１Ｂの右側の角部に当接させることによって、第１パネル３０の位置決めとして機能する。位置決めリブ３６の左側面のやや上側には、保持部１１Ｂの右側面に設けられた係止穴２５（図３，図４参照）に係止する係止爪３６Ａが設けられている。一方、位置決めリブ３６とは反対側の位置であって、本体部３１の左側部側には、第１パネル３０の裏面に対して略直角に立設されたリブ５８が設けられている。リブ５８の内側面には、位置決めリブ３６の係止爪３６Ａと同一位置に、係止爪（図示外）が設けられている。
【００３８】
さらに、第１パネル３０の裏面において、第１パネル３０の下端部近傍には、左右方向に延設され、保持部１１Ｂの下端側に設けられた一対の係止穴１４Ａ，１４Ｂ（図４参照）に係止する一対の係止爪３８Ａ，３８Ｂが後方に突出して各々設けられている。
【００３９】
次に、意匠パネル７を装置ユニット１０に取り付ける方法について説明する。まず、図７に示すように、第１パネル３０の右側を奥側に、左側を手前側に傾斜させた状態で、第１パネル３０の裏面に設けられた位置決めリブ３６を、装置ユニット１０のスイッチ取付部材１１の保持部１１Ｂの右側前方の角部に対して右側から当てつつ、係止穴２５に係止爪３６Ａを係止させる。これと同時に、第１パネル３０の上端部から後方に延びる掛け片３９を、保持部１１Ｂの上側前方の角部に当てる。これにより、第１パネル３０の上下方向の位置決めがなされる。この状態では、第１パネル３０の左端側は、スイッチ取付部材１１の保持部１１Ｂの前面から離間した状態である。
【００４０】
次いで、保持部１１Ｂの右側前方の角部に当てた位置決めリブ３６を回転中心として、第１パネル３０の左端側を、スイッチ取付部材１１の保持部１１Ｂの前面に向けて回動させる。すると、スイッチ取付部材１１の保持部１１Ｂの下端側に設けられた一対の係止穴１４Ａ，１４Ｂに対して、第１パネル３０の裏面に設けられた一対の係止爪３８Ａ，３８Ｂが位置決めされて係止する。さらに、第１パネル３０の上部に設けられた係合穴１６Ａ，１６Ｂに対し、ロック解除位置にあるロック爪３７Ａ，３７Ｂが挿入される。
【００４１】
また、第１パネル３０の裏面に設けたリブ５８が、スイッチ取付部材１１の保持部１１Ｂの左端部に被さると共に、リブ５８の内側面に設けた係止爪（図示外）が、保持部１１Ｂの左端部に設けられた係止穴２６に係止する。さらに、スイッチ取付部材１１の膨出部１９の外側面の先端側に設けられた係合穴１９Ａ（図４参照）に、第１パネル３０の膨出部３３の内面に設けた係合爪３３Ａ（図６参照）が係合する。このようにすることで、収納フレームとコンロ本体２との間が狭くても、第１パネル３０を簡単に取り付けることができるので、第１パネル３０の取り付けの作業性を向上できる。
【００４２】
そして、図１に示すように、スイッチ取付部材１１に第１パネル３０を取り付けた状態で、ロック部材３５を右方向に移動させる。すると、ロック爪３７Ａ，３７Ｂが右方向に移動し、ロック位置となる。この状態では、ロック爪３７Ａ，３７Ｂが、スイッチ取付部材１１の係合穴１６Ａ，１６Ｂの側面に形成された係止壁１６Ｃ，１６Ｄに係止した状態となるので、第１パネル３０はスイッチ取付部材１１に対して取り付けた状態でロックすることができる。従って、使用者が第１パネルを簡単に取り外すことはできない。
【００４３】
一方、第２パネル４０の裏面に設けた一対の係止爪（図示外）を、電池ボックス１２の蓋１３に設けた係止穴１３Ａ，１３Ｂに係止させることにより、第２パネル４０を電池ボックス１２の蓋１３に取り付けることができる。なお、第２パネル４０の裏面に設けた一対の係止爪（図示外）と、蓋１３に設けた係止穴１３Ａ，１３Ｂとによる係止構造は、他の係止構造よりも引っ掛かり強度を強くしているので、使用者が第２パネルを簡単に取り外すことはできない。
【００４４】
そして、上述したように、第１パネル３０の次に第２パネル４０を取り付けることによって、第１パネル３０の目隠し部３２の下端部に形成された当接面３２Ａの前側に、第２パネル４０が配置される。この状態では、図１に示すように、第１パネル３０と、第２パネル４０とが同一平面に揃うので、デザイン的な美観を保持できる。
【００４５】
この状態で、電池ボックス１２内の乾電池を交換する場合、第２パネル４０が取り付けられた電池ボックス１２の蓋１３を開く。このとき、第１パネル３０は、装置ユニット１０のスイッチ取付部材１１に取り付けられたままである。そして、第１パネル３０の目隠し部３２は電池ボックス１２の底部まで延設されているので、蓋１３と共に、第２パネル４０が可動した状態でも、コンロ本体２の右側面と収納フレームとの隙間は隠されたままである。つまり、乾電池を交換する場合でも、コンロ本体２の右側面と収納フレームとの隙間は隠れたままであるので、ビルトインコンロ１の正面の美観を保持できる。
【００４６】
また、コンロ本体２の左側に取り付けられる意匠パネル８においても、意匠パネル７と同様の効果を得ることができる。意匠パネル８の場合、第２パネル６０は、図２に示すように、装置ユニット２０の下側に位置する操作ユニット２２の前面に取り付けられる。操作ユニット２２の前面を第２パネル６０を介して押し込むことによって、操作ユニット２２から操作パネル（図示外）が手前に引き出される。
【００４７】
このとき操作パネルと一緒に第２パネル６０が手前に移動するが、第１パネル５０は、装置ユニット２０のスイッチ取付部材２１（図２参照）に取り付けられたままである。そして、第１パネル５０の目隠し部５２は、操作ユニット２２の底部まで延設されているので、第２パネル６０が手前に移動した状態でも、コンロ本体２の左側面と収納フレームとの隙間は隠されたままである。つまり、操作パネルを引き出す場合でも、コンロ本体２の左側面と収納フレームとの隙間は隠れたままであるので、ビルトインコンロ１の正面の美観を保持できる。
【００４８】
また、図１に示すように、コンロ本体２を側面から見た場合に、意匠パネル７の第１パネル３０の膨出部３３の面と、点火スイッチ７１，７２の面と、取っ手５Ａの面と、意匠パネル８の第１パネル５０の膨出部５３の面と、点火スイッチ８１，８２の面とが互いに同一の位置に揃っているので、ビルトインコンロ１の前面の美観をさらに向上できる。
【００４９】
なお、メンテナンス時において、第１パネル３０を装置ユニット１０から取り外す必要がある場合は、上述した取り付け手順とは逆の手順で行う。つまり、第１パネル３０がスイッチ取付部材１１の保持部１１Ｂに取り付けられた状態で、位置決めリブ３６を回転中心として、第１パネル３０のグリル扉５側である左端側を保持部１１Ｂの前面から離間する方向に回動させる。このとき、スイッチ取付部材１１の保持部１１Ｂに対して、第１パネル３０の係止爪３８Ａ等による係止が外れるので、スイッチ取付部材１１から第１パネル３０を取り外すことができる。このように、収納フレームとの間が狭いコンロ本体２の右側面側に位置する第１パネル３０の右端側ではなく、収納フレームが周囲にない第１パネル３０の左端側を回動させればよいので、第１パネル３０を容易に取り外すことができる。
【００５０】
また、詳述しないが、意匠パネル８を装置ユニット２０に取り付ける方法、及び取り外す方法については、上述した意匠パネル７の方法における向きを左右反対にしたものとなる。従って、意匠パネル７と同様の効果を得ることができる。
【００５１】
以上説明したように、本実施形態のビルトインコンロ１では、コンロ本体２の前面の右側に意匠パネル７が取り付けられている。意匠パネル７は、コンロ本体２に組み込まれたスイッチ取付部材１１に取り付けられる第１パネル３０と、電池ボックス１２の蓋１３に取り付けられる第２パネル４０とから構成されている。意匠パネル７を取り付けた状態では、第１パネル３０の右側部に設けられた目隠し部３２が右側方にやや延出している。目隠し部３２は、第２パネル４０の下端位置まで延設されているので、コンロ本体２の右側面において、枠状の収納フレーム（図示外）との隙間を埋めることができる。
【００５２】
また、第１パネル３０を取り付ける際は、第１パネル３０の裏面に設けた位置決めリブ３６を、スイッチ取付部材１１の右側前方の角部に当て、その位置決めリブ３６を回転中心として、第１パネル３０の左端側を、スイッチ取付部材１１の前面に向けて回動させる。これにより、第１パネル３０に設けた係止爪３８Ａ，３８Ｂが、スイッチ取付部材１１に設けた係止穴１４Ａ，１４Ｂに対して位置決めされつつ係止するので、スイッチ取付部材１１に第１パネル３０が取り付けられる。これにより、収納フレームとコンロ本体２との間が狭くても、第１パネル３０を簡単に取り付けることができるので、第１パネル３０の取り付けの作業性を向上できる。
【００５３】
さらに、電池ボックス１２の乾電池を交換する場合、第２パネル４０が取り付けられた電池ボックス１２の蓋１３を開く。このとき、第１パネル３０は、装置ユニット１０のスイッチ取付部材１１に取り付けられたままである。そして、第１パネル３０の目隠し部３２は電池ボックス１２の底部まで延設されているので、蓋１３と共に、第２パネル４０が可動した状態でも、コンロ本体２の右側面と収納フレームとの隙間は隠されたままである。つまり、コンロ本体２の右側面と収納フレームとの隙間は隠れたままであるので、ビルトインコンロ１の正面の美観を保持できる。そして、第２パネル４０を取り付けたままで乾電池を交換できるので、ビルトインコンロ１の操作性を向上できる。
【００５４】
なお、本発明は、上記実施形態に限定されることなく、種々の変更が可能であることは言うまでもない。例えば、上記実施形態では、意匠パネル７を２部品で構成したが、３部品でもよく、それ以上であってもよい。この場合、第１パネルの目隠し部を、コンロ本体の最下端まで延ばすことで、上記実施形態と同じ効果を得ることができる。
【００５５】
また、上記実施形態では、操作ユニット２２がコンロ本体２の前面の左側、電池ボックス１２が右側に設けられているが、操作ユニット２２を右側、電池ボックス１２が左側であってもよい。
【００５６】
また、上記実施形態では、コンロ本体２を側面から見た場合に、意匠パネル７の第１パネル３０の膨出部３３の面と、点火スイッチ７１，７２の面と、グリル扉５の取っ手５Ａの面と、意匠パネル８の第１パネル５０の膨出部５３の面と、点火スイッチ８１，８２の面とが互いに同一の位置に揃っているが、グリル扉５の取っ手５Ａのみが上下方向にずれていてもよい。
【００５７】
また、上記実施形態では、第１パネル３０の膨出部３３の左側の側面に、スイッチ取付部材１１の膨出部１９に設けられた係合穴１９Ａが係止する係合爪３３Ａを設けたが、係合爪の位置は、目隠し部３２であれば位置は限定されない。その係合爪に対応する係合穴をスイッチ取付部材１１に設ければよい。目隠し部３２は、スイッチ取付部材１１に直接固定することで取付位置が安定する。また目隠し部３２は細長形状であるが、膨出部３３を設けることで、外部衝撃等によって折れてしまうのを防止できる。
【符号の説明】
【００５８】
１    ビルトインコンロ
２    コンロ本体
７    意匠パネル
８    意匠パネル
１０    装置ユニット
１１    スイッチ取付部材
１２    電池ボックス
１３Ａ，１３Ｂ  係止穴
１４Ａ，１４Ｂ  係止穴
１６Ａ，１６Ｂ  係合穴
１６Ｃ，１６Ｄ  係止壁
１９Ａ  係合穴
２０    装置ユニット
２１    スイッチ取付部材
２２    操作ユニット
２５，２６  係止穴
３０    第１パネル
３１    本体部
３２    目隠し部
３３    膨出部
３３Ａ  係合爪
３５    操作部材
３６    位置決めリブ
３６Ａ  係止爪
３７Ａ，３７Ｂ  ロック爪
３８Ａ，３８Ｂ  係止爪
４０    第２パネル
【図１】
2011052839.tif 000003
【図２】
2011052839.tif 000004
【図３】
2011052839.tif 000005
【図４】
2011052839.tif 000006
【図５】
2011052839.tif 000007
【図６】
2011052839.tif 000008
【図７】
2011052839.tif 000009